(57)【要約】    本発明は、流体特に液体用の弁（３２）であって、ハウジング（３，４）、このハウジング（３，４）内に支持される弾性弁膜（３３）及びこの中に保持される弁体（３４）、室（４２，４３，４４）へ通じる流体用入口（２６，３７，３８，３９）、及びこの室（４２，４３，４４）から出る出口（４５）を有し、弁（３２）の流体通路を閉じるため、弁体（３４）が弾性素子（３３）と接触可能であるものに関する。  このような弁において本発明によれば、弾性素子が弾性弁膜（３３）であり、ストッパ（３６，５５）が、流体の圧力上昇の際弁膜の湾曲運動を限定するのに役立ち、その際ストッパが弾性素子（３３）を弁体の方へ動かして、弁の流体通路を閉じる。【選択図】図１３
2009503417.tif 000002
【特許請求の範囲】
【請求項１】
流体特に液体用の弁（３２）であって、ハウジング（３，４）、このハウジング（３，４）内に支持される弾性弁膜（３３）及びこの中に保持される弁体（３４）、室（４２，４３，４４）へ通じる流体用入口（２６，３７，３８，３９）、及びこの室（４２，４３，４４）から出る出口（４５）を有し、弁（３２）の流体通路を閉じるため、弁体（３４）が弾性素子（３３）と接触可能であるものにおいて、
弾性素子（３３）が弾性弁膜（３３）であり、
ストッパ（３６，５５）が、流体の圧力上昇の際弁膜（３３）の湾曲運動を限定するのに役立ち、その際ストッパ（３６，５５）が弾性素子（３３）を弁体（３４）の方へ動かして、弁（３２）の流体通路（２６，３７，３８，３９，４２，４３，４４，４５）を閉じることを特徴とする、弁。
【請求項２】
入口（２６，３７，３８，３９）が弁膜（３３）及び弁体（３４）を通って室（４２，４３，４４）へ導かれていることを特徴とする、請求項１に記載の弁。
【請求項３】
弁膜（３３）及び弁体（３４）が別個の部材であり、特に弁体（３４）が剛体部材として構成されていることを特徴とする、請求項１又は２に記載の弁。
【請求項４】
弁膜（３３）が、取り巻く縁の範囲をハウジング（３，４）の２つの部分（３，４）の間に保持され、特に締付けて保持されていることを特徴とする、請求項１〜３の１つに記載の弁。
【請求項５】
弁膜（３３）が断面を不整形に形成され、弁膜（３３）の中心範囲が弁芯として構成される弁体（３４）の受入れ部として役立つことを特徴とする、請求項１〜４の１つに記載の弁。
【請求項６】
弁膜（３３）の構成部分である閉鎖素子（４０）が設けられ、ストッパ（３６，５５）が閉鎖素子（４０）を弁体（３４）の方へ動かして、弁（３２）の流体入口（２６，３７，３８，３９）を閉じることを特徴とする、請求項１〜５の１つに記載の弁。
【請求項７】
室（４２，４３，４４）の出口が弁膜（３３）を通って導かれていることを特徴とする、請求項１〜６の１つに記載の弁。
【請求項８】
弁膜（３３）が半径方向入口通路（３７）を持ち、弁体（３４）がこの入口通路（３７）に続く半径方向入口通路（３８）を持ち、後者の入口通路（３８）が、弁膜（３３）により閉鎖可能な弁体（３４）の軸線方向入口通路（３９）に通じていることを特徴とする、請求項１〜７の１つに記載の弁。
【請求項９】
室（４２，４３，４４）の部分範囲が、弁体（３４）と弁膜（３３）との間に設けられる通路（４４）として構成されていることを特徴とする、請求項１〜８の１つに記載の弁。
【請求項１０】
ストッパ（３６，５５）が、調節可能なストッパ（３６，５５）特にハウジング（ハウジング部分４）へねじ込まれる調節ねじ（３６）として構成されていることを特徴とする、請求項１〜９の１つに記載の弁。
【請求項１１】
弁膜（３３）を弁（３２）の開放位置へ戻すばね（３５）が設けられていることを特徴とする、請求項１〜１０の１つに記載の弁。
【請求項１２】
ばね（３５）が、ハウジング（ハウジング部分４）及び弁膜（３３）に支持される圧縮ばねとして構成され、特に弁膜（３３）がハウジング側ストッパ（ハウジング部分３）の方へ戻し可能であることを特徴とする、請求項１１に記載の弁。
【請求項１３】
弁（３２）の出口（４５，４７）が流量限定器（５３）を持っていることを特徴とする、請求項１〜１２の１つに記載の弁。
【発明の詳細な説明】
【技術分野】
【０００１】  本発明は、流体特に液体用の弁であって、ハウジング、このハウジング内に支持される弾性弁膜及びこの中に保持される弁体、室へ通じる流体用入口、及びこの室から出る出口を有し、弁の流体通路を閉じるため、弁体が弾性素子と接触可能であるものに関する。
【背景技術】
【０００２】  弁は、なるべく機械的に作動せしめられる液体ポンプにおいて、特に医学的及び栄養生理学的液体や生物学及び実験室分野における液体のために設けられているような液体ポンプにおいて使用される。ガス特に実験室における実験の範囲内で供給されねばならないようなガスのために弁を使用することも考えられる。弁の主な使用分野は液体の供給の分野にある。【０００３】  液体の供給に関連して異なる形式の液体ポンプが使用される。非電気的に作動せしめられるポンプなるべく機械的に作動せしめられるポンプは、使用時間中に異なる圧力を発生するという欠点を持っている。これは、初期圧力が一般に最終圧力より高いことを意味している。流量制御は毛細管ホース又はガラス毛細管を介して行なわれる。毛細管によるこれらの解決策は、使用時間中に７０％までの流量変動を生じる。これは耐容性の問題を持つ患者例えばアレルギー体質の人にとっては重大な問題である。なぜならば、大きすぎる計量割合は、死亡に至るまでの副作用及び不調和を生じるからである。【０００４】  液体のために使用される最初にあげた種類の弁は、欧州特許出願公開第１３２１１５６号明細書から公知である。そこではハウジングが室、この室に流れ接続されている液体用入口通路、及び室に流れ接続されている出口通路を持っている。室内には、室を通る液体の流れを制御する剛体の弁体が設けられている。弁体は、ハウジング内で取り巻く縁の範囲で締付けられる弁膜に結合され、それにより弁体が弁膜の運動に応じて動かされる。入口通路に対して同心的に、ハウジングが環状の弾性素子を持っている。入口通路を閉鎖するため、弁体は弾性素子の方へ可動である。この弁及び出口通路に付属する流量限定器の寸法設定のため、ハウジングから流出する際液体が受ける抵抗は、弁へ流入する液体が受ける抵抗より大きい。ハウジングへ液体が流入する際、液体で満たされる室内に静圧が生じて、弁体及び弁膜に作用する。弁体の間隔突起が弾性素子へ圧力なしに当接すると、弾性素子を貫通する液体通路が閉鎖されず、液体は入口通路から室内へ、またそこから出口通路へ流れることができる。弾性素子の弾性のため、これに作用する力によって、室内に存在する液体の圧力変化の際、弁膜が室内部から少し離れるように湾曲せしめられ、弁体がこの方向に動かされ、弁体の間隔突起が弾性素子へ押込まれる。これにより密封面の間の間隙が減少する。弁を通る体積流はそれにより少なくなる。充分大きい力では弁体が間隙を閉じるので、入口通路にある液体はもはや室内へ進入できない。これにより室内の圧力が低下する。圧力低下の際、撓んだ弁膜の戻し力により、弁体が弾性素子から離され、それにより密封面の間に間隙が再び形成される。従ってこの弁は、圧力低減器のように、生じる入力圧力に応じて動作する。この弁によっては、圧力を充分一定に制御することは不充分にしか可能でない。【０００５】  米国特許第５，６１６，１２７号明細書には、薬用液体を患者へ供給する装置が記載されている。この装置は液状薬剤の流量を制御する弁を持っている。この弁は、円錐状弁座を持つケースと、これに対して移動可能で同様に円錐状弁座を持つ弁体を持っている。弁体は、ベローのような弾性中間���材を介して弁ケースに結合されている。ベローにより包囲される空間は、出口通路を備えて室を形成している。入口通路は弁ケースを通って導かれている。室内の圧力が上昇すると、ベローが広がり、それにより弁体が弁ケースの通過断面を減少し、最大圧力では弁ケースの入口通路が弁体により閉鎖される。弁に圧力がないと、ベローの戻し力のため、弁体がケースの別の弁座の方へ向かされ、この状態においても弁の流通を遮断する。【０００６】  米国特許第４，８５２，６０５号明細書から公知の弁では、弁ケースが、円錐として形成される弁体と共同作用する弁座を持っている。この円錐は、弁膜内に支持されている支持体に保持されている。ケースの入口通路に高まる圧力が印加されると、円錐が弁座から離れる。圧力の高さに応じて、入口通路からの液体用の大きいか又は小さい出口断面が生じる。【０００７】  ドイツ連邦共和国特許出願公開第４４３６５４０号明細書には、圧力を受けて液状薬剤を連続的に放出する注入装置が記載されている。そこではピストンが平衡状態にある。薬剤放出装置を介して大きすぎる体積流が流れると、これによりピストンが移動し、ピストンの移動行程に応じて薬剤用入口通路の大きいか又は小さい絞りが行われる。【０００８】  米国特許第３，５１１，４７２号明細書から、弁ケースの弁座を閉鎖する弾性弁膜を持つ弁が記載されている。弁の流通断面は、弁体を保持する調節可能なねじにより連続的に制御される。
【発明の開示】
【発明が解決しようとする課題】
【０００９】  本発明の課題は、液体流の充分な一定保持従って狭い公差範囲内での液体流の一定保持が保証されるように、最初にあげた種類の弁を発展させることである。
【課題を解決するための手段】
【００１０】    最初にあげた種類の弁においてこの課題は、弾性素子が弾性弁膜であり、ストッパが、流体の圧力上昇の際弁膜の湾曲運動を限定するのに役立ち、その際ストッパが弾性素子を弁体の方へ動かして、弁の流体通路を閉じることによって解決される。【００１１】  本発明による弁において、弁に生じる入力圧力がどんな大きさであるかに関係なく、液体流を実質的に一定に制御できる、という特別な利点がある。これは次のことにより可能である。即ち出口に生じる圧力が、適当な大きさに形成される作用面を介して、弁膜をその初期状態から湾曲させ、その結果弁膜がストッパの方へ動かされ、これにより変形して弁体の閉鎖をひき起こすからである。入口範囲における圧力より当然低いけれども比較的高い出口範囲の圧力が、流量限定器によって保証される。【００１２】  構造的に有利に形成される弁の実施形態では、入口が弁膜及び弁体を通って室へ導かれている。特に互いに接続される通路が重要である。【００１３】  弁膜及び弁体は特に別個の部材である。弁体は特に弁芯として構成されている。これは、この部材が弁の中心範囲に設けられ、特に弁膜内に保持されていることを表している。弁体はなるべく剛体の部材である。弁体は弁膜内に保持されて、弁体の運動方向において弁膜に対して動かされず、弁膜に対して横方向にも動かされず、特に回されないようにしている。これによりあらゆる作動状態において、入口通路が弁膜及び弁体と一直線をなし、更に特に弁体が弁膜により閉鎖される範囲において弁膜に対する弁体の所定の位置が保証されるようにすることができる。弁膜が、取り巻く縁の範囲をハウジングの２つの部分の間に保持され、特に締付けて保持されていると、好都合である。この場合弁膜の縁範囲から始まって、そのつど生じる流体圧力の影響で弁膜を充分湾曲させることが可能である。弁膜が断面を不整形に形成され、弁膜の中心範囲が弁体の受入れ部として役立つのがよい。この中心範囲は特に鉢状に構成されている。【００１４】  弁膜の特別な構成が好都合なように考慮されている。それに応じて弁閉鎖素子が弁膜の構成部分である。ストッパが閉鎖素子を弁体の方へ動かして、弁の流体出口を閉じる。【００１５】  弁の出口は種々のやり方で構成することができる。出口を室からハウジングへ導き、そこから通路を経てハウジングと接続される出口導管へ導くことが考えられる。変更された構成では、入口通路を弁膜に通して導くことに応じて、弁膜を通して導かれる出口を設けることもできる。【００１６】  弁膜が半径方向入口通路を持ち、弁体がこの入口通路に続く半径方向入口通路を持ち、後者の入口通路が、弁膜により閉鎖可能な弁体の軸線方向入口通路に通じていると、弁が弁膜及び弁体の範囲で構造的に特に簡単に構成される。弁体と弁膜との間に、室から出る出口通路が形成されていると好都合である。【００１７】  本発明の特別な実施形態によれば、ストッパが、調節可能なストッパとして構成され特にハウジングへねじ込まれる調節ねじとして構成されている。ねじが弁膜の調節行程を大きくするほど、弁の二次圧力はそれだけ大きくなる。【００１８】  本発明による弁によって、最大圧力に対して流体の流量の制御が行われる。この場合���膜はなるべく制御すべき圧力に合わせて設計されている。これは、弾性弁膜により制御を行うことができることを意味する。本発明の展開によれば、弁膜を弁の開放位置へ戻すばねが設けられている。このばねは弁膜の戻し運動を援助する。【００１９】  ばねが、なるべくハウジング及び弁膜に支持される圧縮ばねとして構成され、特に弁膜がハウジング側ストッパの方へ戻し可能である。このストッパは弁膜の戻り運動を限定する。【００２０】  弁の出口が流量限定器を持っているのがよい。従って流量限定器は弁の構成部分を形成する。【００２１】  本発明のそれ以外の特徴は従属請求項、図の説明及び図自体に示されており、すべての個別の特徴及び個別の特徴のすべての組合せが本発明にとって重要であることを注記しておく。【００２２】  図には本発明が弁を備えかつ機械的に作動せしめられる液体ポンプについて説明されるが、本発明はこれには限定されない。
【発明を実施するための最良の形態】
【００２３】  図１に示されて機械的に作動せしめられる液体ポンプ１は、特に医学的又は栄養生理学的液体の投与特に液状薬剤の投与に用いられる。【００２４】  ポンプ１は、複数部分即ち中間部３、これと共同作用する上部４及び下部５、上部と共同作用する上殻６、及び下部５と共同作用する下殻７により形成されるハウジング２を持っている。【００２５】  中間部３は、その上側に、中間部３の自由縁の方へ開いた半円形断面の凹所８を備え、上部４は対応する縁範囲でその下側に同じ半円形凹所９を備えている。中間部３に上部４が結合されると、両方の凹所８及び９が中核１１の円錐状に広がる端部範囲１０を受入れる円形断面を形成する。中核１１は、その端部範囲１０を除いて一定の外径を持っている。中核１１のこの円筒状部分は符号１２で示されている。中核１１をその縦中心軸線に沿って通路１３（図２参照）が貫通し、この通路１３から半径方向に中核１１を通って延びる複数の通路１４が、円筒状部分１２の範囲で分岐している（図６）。中核１１の外周の範囲において、半径方向通路１４が中核１１の環状溝１５に通じている。【００２６】  中核１１と共同作用する弾性素子は、シリコーンから成る気球１６として構成されている。この気球は射出成形法で製造されている。気球は、中核１１の端部範囲１０に応じて、円錐状に広がって開口１７ａを有する端部範囲１７と、中核１１の部分１２の外側形状に一致する部分１８とを持ち、この部分１８は、端部範囲１７とは反対側にあって気球に規定されて閉じている端部範囲１９へ通じている。【００２７】  中核１１及び気球１６の寸法は、図２からわかるように、中核１１上にはめられる気球が中核１１に完全に当接し、従って気球の端部範囲１７が中核の端部範囲１０に接触し、気球１６の部分１８が中核１１の部分１２に接触し、最後に気球１６の端部範囲１９が中核１１の自由端面に当接するように、設定されている。中核１１に関して気球１６の寸法は、気球１６が比較的僅かな初応力で従って応力を除かれた状態で中核１１に当接するように、選ばれている。【００２８】  気球１６の端部範囲１７を中核１１の端部範囲１０に取付けるため、気球１６の端部範囲１７の外側にはめられる締付け環２０が設けられている。こうして得られる形成物が締付け環２０を中間部３の凹所８へ挿入され、続いて上部４が中間部３と結合され、それにより締付け環２０従って中核１１及び気球１６が、中間部３及び上部４の凹所８及び９内に固定的に保持される。凹所８及び９は、締付け環２０の確実な保持を保証するため、中間部３及び上部４のそれぞれの自由縁から離れる方向に広がる締付け環２０用円錐状受入れ部を持っている。【００２９】  中間部３、上部４及び下部５はポンプ１の別の機能素子の受入れに役立つ。【００３０】  上部４にはルエルロック（ＬｕｅｒＬｏｃｋ）弁２１が接続されて、上部４にある開口２２を貫通し、以下図２の関連する説明からわかるように、ルエルロック弁ケース２３とルエル弁芯２４を持っている。通路２５を介してルエルロック弁２１が、上部４と中間部３との間に形成されて中核１１を貫通する通路１３と接続されている通路２６に接続されている。【００３１】  ルエルロック弁２１及び通路２５，２６を通って、ポンプが液体を充填される。図２に示す充填されない状態から始まって、液体の増大する供給と共に、締付け環２０により締付けられていない範囲において気球１６が伸び、完全な充填の際図３に示す最終形状をとる。液体の占める空間は、そこに符号２７で示されている。図２，３及び６〜１２からわかるように、気球１６は、液体を充填する際中核１１に当接する初期状態から始まって、その形状を中核の縦方向及びその横方向即ち第１の横方向及びこれに対して直角な第２の横方向に変化する。【００３２】  上部４及び下部５は、断面をほぼ腎臓状に形成されるフード２９の受入れに役立つ係止突起２８を備えている。このフード２９は、図９からわかるように、高さ方向より著しく大きい幅方向に延びている。幅対高さ比は例えば２：１である。フード２９の長さ対高さ比は、例えば図２からわかるように約２．５：１である。フード２９はなるべく分離不可能にハウジング２にクリップ止めされている。気球１６が液体を完全に充填されると、この気球はフード２９の内部空間のできるだけ多くを占める。【００３３】  このため中核１１に当接する気球１６について図１１からわかるように、気球１６は、中核１１の縦軸線に対して直角な第１の伸び方向Ｘにおいて比較的厚い壁部分３０を持ち、中核１１の縦軸線に対して直角でかつ第１の伸び方向Ｘに対して直角な第２の伸び方向Ｙにおいて比較的薄い壁部分３１を持っている。その結果気球１６は、その空間２７へ液体を入れる際、優先的に伸び方向Ｘに伸びようとし、それにより図９に示すように伸びた長円形の断面形状が生じる。全体としてポンプ１は、体に好都合に保持される扁平な機能部分として現われ、気球１６は、液体を充填された状態で、ポンプ１の外側輪郭に合わされた同様に扁平な形状をとる。【００３４】  通路２６及び１３は、ルエルロック弁２１から気球１６への液体の供給に役立つだけでなく、気球１６の内部から患者への液体の放出にも役立つ。即ち通路２６は、通路２５の入口個所を越えて、中間部３及び上部４に支持されて気球１６から放出される液体の体積流を限定する弁３２の所へ延長されている。この弁３２は、縁側を中間部３と上部４との間に保持される弾性弁膜３３、この弁膜と共同作用する弁体３４、弁膜３３及び上部４に支持される圧縮ばね３５、及び上部４の雌ねじ内に支持されて弁膜３３と作用結合可能な調節ねじ３６により形成されている。【００３５】  図１３の詳細図からわかるように、通路２６は半径方向に伸びる弁膜３３の通路３７へ通じ、そこから弁体３４の軸線方向通路３９へ通じる弁体３４の半径方向通路３８へ通じている。この軸線方向通路３９は、弁膜３３の厚くされた部分４０に面する端部の範囲で開くように構成されている。弁閉鎖素子の機能を持つ部分４０の通路３９とは反対の側には、調節ねじ３６として構成されるストッパが設けられている。基本的にこのストッパは固定的であってもよい。弁膜３３の突起４１の間で、弁体３４が弁膜３３に対して軸線方向に移動しないように保持され、更に弁膜に対して回らないように保持されている。【００３６】  弁３２は、高すぎる圧力がかかると、体積流を遮断するのに役立つ。この弁には２つの分離した��４２及び４３が形成され、弁体３４を貫通して通路３９に対して平行に設けられる通路４４を介してこれらの室４２，４３が互いに接続されている。流れ方向において入口従って通路２６の方にある室４２は遮断室として役立つ。室４３は流れ方向において出口４５の方にある。弁３２を通って放出される液体を濾過するため、フィルタ４６が設けられて、中間部３と下部５との間に締付けられている。室４３及び出口４５から出て液体は、出口４５と流れ接続される通路４７（図５）へ達し、そこから中間部３と下部５との間に保持されるルエルロック接続部４８へ達する。このルエルロック接続部４８に、患者へ至るホース５０を備えたルエルロックコネクタ４９が接続可能である。【００３７】  図５からわかるように、通路４７へガラス毛細管５３が挿入されている。この毛細管５３は流量限定器であって、ポンプから通路を通って出る体積流を限定することができる。なぜならば、流量限定器は入口にある通路４７より小さい断面を持っているからである。異なる流量限定器の選択により、入口にかかる圧力が特定の値を下回らない限り、種々の一定な流量の設定が可能である。基本的に入口流通断面が出口の流通断面より大きいように考慮されている。もちろんガラス毛細管とは異なるように流量限定器を構成することができる。弁の後でポンプの出口に、例えば流量を限定する蛇行チップを設けることも考えられる。【００３８】  気球１６の空間２７を弁３２に接続する通路の上述した直径及び弁３２の後に設けられて流量限定器５３を持つ通路の直径のため、流量限定器５３を持つ通路４７がハウジング２からの液体の流出に及ぼす抵抗は、弁３２へ流入する際液体に及ぼされる抵抗より大きい。【００３９】  初期状態で弁膜３３は図１３に示す位置にあり、この位置で弁膜３３は、圧縮ばね３５の作用を必要とすることなく、中間部３に充分当接している。弁膜３３の部分４０に対する弁体３４の位置のため、部分４０と弁体３４の環状突起５４との間に僅かな間隙が存在する。この突起５４は通路３９を包囲している。従って液体は中核１１の通路１３及びそれに続くハウジング側通路２６を経て弁膜３３の通路３７へ流れ、そこから弁体３４の通路３８及び３９へ流れる。弁体３４の通路３９から液体は、突起５４と弁膜３３の部分４０との間に形成される間隙を通って、そこにある室４２へ流入し、室４２から通路４４を経て室４３へ流れ、フィルタ４６を通過し、出口４５を経て流量限定器５３を持つ通路４７へ達する。流量限定器５３のためポンプから大きい体積流が流出することなしに、入口従って通路３９にも一層高い流体圧力が現れると、それにより中間部３と上部４との間の縁範囲に締付けられている弁膜３３が、中心範囲でストッパ機能を持つ調節ねじ３６の方へ、圧縮ばね３５の力に抗して変形する。弁膜３３の部分４０がこの部分４０に近い方にある調節ねじ３６の突起５５へ達すると、それにより、部分４０がそこで調節ねじ３６に接触し、弁膜３３は更に上方へ上殻の方へ動くことができないので、部分４０は弁体３４の突起５４へ押付けられ、それにより通路３９を通る流れを遮断する。流量限定器５３を通って液体が流出する際、室４３の圧力が低下するので、弁膜３３はそ��固有弾性のため再び図１３に示すその初期位置の方へ再び戻り、それにより部分４０は調節ねじ３６と接触しなくなり、突起５４と部分４０との間の流通間隙が再び開かれる。気球１６内に存在する圧力に関して、この状態が、図１３に示す初期位置へ弁膜３３の到達する際初めて、又はそれより早く従って弁膜３３のまだ撓んでいる場合に、起こることができる。調節ねじ３６が弁膜３３の調節行程を大きく可能にするほど、弁内の二次圧力がそれだけ大きくなる。基本的に圧縮ばね３５を設けることは必要でない。それは、ポンプ１により一層高い圧力を制御せねばならず、従って弁膜３３の弾性戻り特性がこの弁膜を図１３の初期位置へ移行させるのに十分でない場合に、有利である。【００４０】  従って弁３２より、液体の体積流が気球１６内の圧力に関係して限定され、流量限定器５３を介して液体体積流が充分一定に保たれる。弾性素子から放出される液体体積流を充分一定に保持する装置、又は弾性素子から放出される液体体積流を限定する装置のみが設けられているように、液体ポンプを変更することもできるであろう。【００４１】  機械的に作動せしめられる液体ポンプを使用する前に、液体がルエルロック弁２１を通して供給され、それにより液体が気球１６内へ達し、気球の充填状態が、透明なフード２９を通して、フードの横方向に設けられている標識５１により読み取られ、この標識が気球の充填に応じてこの気球の横方向伸びの基準となる。ポンプ１の充填とホース５０を介して患者へのポンプの接続後、広げられる気球１６の弾性初応力の作用で、液体が弁３２を経てポンプから放出され、しかも気球が残りなく空にされて中核１１に当接するまで放出される。【００４２】  上述した液体ポンプの特に簡単な構成により、このポンプは多様な使用可能性を与える。使用者は、どこでも直ちに長い始動時間なしにポンプを使用することができる。液体ポンプは使用者により持ち運び可能であり、病院外のすべての普通の生活領域及び病院内で静的にも使用可能である。ポンプは殺菌して使用可能であり、最小の取扱い費用を保証する。ポンプは、少数の部品の簡単な構造のため安価に製造可能である。これは、ポンプを特に財政上弱体な移動市場で使用できるための前提条件である。ポンプの少ない重量は事故、緊急医療、病院及び大災害の分野における使用を可能にする。ポンプの機能素子は個々に又は全部交換可能である。ポンプは、例えば１時間当たり２．５ｍｌの流量のため２５ｍｌの収容能力従って１０時間の作動時間を持つ気球において、短いか又は長い供給時間に適している。異なる容積例えば１０ｍｌ，５０ｍｌ，１００ｍｌ又は１５０ｍｌを持つ別の気球を使用することもできる。作動時間は著しく長く例えば２４時間であってもよい。１時間当たり１０００ｍｌ以上の流量も考えられるけれども、１時間当たり０．５〜１０ｍｌの流量が好ましい使用範囲とみなされる。【００４３】  実施例によれば、薬液用貯蔵容器及び圧力溜めとして射出成形により製造される気球が説明される。気球は、扁平なハウジング空間を満たしかつ圧力ピークを回避するため、所定の断面及び伸び輪郭を持っている。気球は、戻し力を高めるため、１つ又は複数部分から成る中核を介して半径方向及び／又は軸線方向に初応力をかけられている。気球は、一端で中核を介して締付け環により固定的にはまり合いで気密に閉鎖される。気球は、充填又は排出中に軸線方向及び半径方向に自由に可動であり、その際弾性変形可能でフード内を摩擦なしに動くことができる。【００４４】  ポンプ１は更にボーラス溜めを備えることができる。図１にはこのようなボーラス溜めが符号５２で示されている。必要な場合ポンプを改造することができる。【００４５】  図１４は、前述した機械的に作動せしめられる液体ポンプの作用原理を、物理量を記載して示している。鎖線でポンプの輪郭を示している。
【図面の簡単な説明】
【００４６】
【図１】  本発明により機械的に作動せしめられる液体ポンプの分解図を示す。
【図２】  図１に示すポンプの垂直縦断面図を気球が中核に当接した状態で示す。
【図３】  図２による断面図を気球が液体を充填された状態で示す。
【図４】  図１に示すポンプの垂直断面図をポンプの縦中心軸線から離れた所でポンプの弁の範囲において示す。
【図５】  図１に示すポンプをその弁の範囲で横断した断面図で示す。
【図６】  図１に示すポンプの水平縦断面図を気球が中核に当接した状態で示す。
【図７】  図６による断面図を気球が液体を満たされた状態で示す。
【図８】  ポンプを中核の支持範囲で横断した断面図を示す。
【図９】  中核の支持されない部分及び液体を満たされた気球の範囲で横断したポンプの断面図を示す。
【図１０】  中核、気球及び気球と中核を結合する締付け環の拡大断面図を気球が中核に当接した状態で示す。
【図１１】  中心の縦軸線に対して直角に中核及び気球を横断した断面図を気球が中核に当接した状態で示す。
【図１２】  気球の断面形状が変わっている図１１の断面図を示す。
【図１３】  図４に示す弁の拡大断面図を示す。
【図１４】  機械的に作動せしめられる液体ポンプの作用原理を物理量と共に示す図を示す。
【図１】
2009503417.tif 000003
【図２】
2009503417.tif 000004
【図３】
2009503417.tif 000005
【図４】
2009503417.tif 000006
【図５】
2009503417.tif 000007
【図６】
2009503417.tif 000008
【図７】
2009503417.tif 000009
【図８】
2009503417.tif 000010
【図９】
2009503417.tif 000011
【図１０】
2009503417.tif 000012
【図１１】
2009503417.tif 000013
【図１２】
2009503417.tif 000014
【図１３】
2009503417.tif 000015
【図１４】
2009503417.tif 000016
【国際調査報告】
2009503417.tif 000017
2009503417.tif 000018
2009503417.tif 000019
2009503417.tif 000020
2009503417.tif 000021
2009503417.tif 000022